(57)【要約】【課題】コイル押さえ部材を備えた回転電機における冷却効率を向上させる。【解決手段】固定子１１と、前記固定子１１の径方向内側において回転可能に支持され、径方向外側へ突出した複数の突部２１ｂが周方向に沿って配置される鉄心２１と、前記突部２１ｂの外周部に巻き付けられる巻線２２と、前記巻線２２間に設けられるコイル押さえ部材２４と、前記コイル押さえ部材２４において前記巻線２２と対向する第一の面２４ａに形成され、径方向内側から径方向外側へ延びる溝部５２と、前記コイル押さえ部材２４を軸方向に貫通する第一の貫通孔５３とを備えて成る。【選択図】図１
2018148775.tif 000002
【特許請求の範囲】
【請求項１】
固定子と、
前記固定子の径方向内側において回転可能に支持され、径方向外側へ突出した複数の突部が周方向に沿って配置される鉄心と、
前記突部の外周部に巻き付けられる巻線と、
前記巻線間に設けられるコイル押さえ部材と、
前記コイル押さえ部材において前記巻線と対向する第一の面に形成され、径方向内側から径方向外側へ延びる溝部と、
前記コイル押さえ部材を軸方向に貫通する第一の貫通孔と
を備えた
ことを特徴とする回転電機。
【請求項２】
前記第一の貫通孔は、前記溝部と連通して形成されるものである
ことを特徴とする請求項１に記載の回転電機。
【請求項３】
前記コイル押さえ部材は、前記溝部および前記第一の貫通孔と連通する第二の貫通孔を有するものである
ことを特徴とする請求項１または請求項２に記載の回転電機。
【請求項４】
前記溝部は、前記コイル押さえ部材における前記固定子と対向する第二の面に臨む溝部開口を有するものであり、
前記第二の貫通孔は、前記第二の面に臨む貫通孔開口を有するものであり、
前記貫通孔開口と前記固定子との距離は、前記溝部開口と前記固定子との距離よりも長い
ことを特徴とする請求項３に記載の回転電機。
【発明の詳細な説明】
【技術分野】
【０００１】
本発明は、コイル押さえ部材を備えた回転電機に関する。
【背景技術】
【０００２】
回転電機は、電気の磁気作用によって固定子と回転子との間に生じる反発力および吸引力を利用し、固定子に対して回転子を回転するものであり、このような回転電機の一つとして、突極形回転子を備えた突極形回転電機がある。
【０００３】
突極形回転子は、回転軸に対して径方向外側に突出する突部を有する鉄心と当該鉄心の突部に巻き付けられる巻線とから成る磁極が周方向に複数備えられて成り、突極形回転電機は、筒状の固定子の径方向内側に突極形回転子が回転可能に設けられて成る。このような突極形回転電機においては、回転動作時の遠心力によって巻線が変形を起こす虞があるため、磁極間にコイル押さえ部材を設けて巻線を押さえ付けることにより、当該巻線の変形を防止している。
【０００４】
一般に、回転電機においては、損失による熱が発生するため、回転電機各部が過熱されて劣化や焼損などを生じる虞があるため、回転電機には、種々の冷却構造が設けられている。突極形回転電機に設けられる冷却構造としては、例えば、冷却媒体を磁極間の空間（磁極間空間）に供給して流通させることにより、当該磁極間空間に臨んで配置された回転子巻線等の回転電機各部を冷却するものがある。
【先行技術文献】
【特許文献】
【０００５】
【特許文献１】特開２００８−２８３７３７号公報
【発明の概要】
【発明が解決しようとする課題】
【０００６】
しかし、コイル押さえ部材を備えた突極形回転電機においては、コイル押さえ部材が磁極間空間を軸方向に流れる冷却媒体の抵抗となり、回転電機における冷却媒体の流通効率すなわち冷却効率が低下してしまう虞がある。
【０００７】
ここで、コイル押さえ部材を備えた突極形回転電機における冷却効率を向上させる技術として、例えば、特許文献１に記載のものがある。特許文献１には、コイルブラケット（コイル押さえ部材）に界磁コイル（巻線）の積層方向に沿う一対の通風溝を設けることにより、冷却風を通風溝に流通させて界磁コイルの温度上昇を抑制することが記載されている。
【０００８】
しかし、特許文献１に記載の回転電機においても、コイルブラケット（コイル押さえ部材）が周方向において隣接した界磁コイル（磁極）間の空間を軸方向に流れる冷却風（冷却媒体）の抵抗となるため、回転電機における冷却風の流通効率すなわち冷却効率が低下してしまう虞がある。
【０００９】
本発明は上記問題に鑑みてなされたもので、コイル押さえ部材を備えた回転電機における冷却効率を向上させることを目的とする。
【課題を解決するための手段】
【００１０】
上記課題を解決する第一の発明に係る回転電機は、固定子と、前記固定子の径方向内側において回転可能に支持され、径方向外側へ突出した複数の突部が周方向に沿って配置される鉄心と、前記突部の外周部に巻き付けられる巻線と、前記巻線間に設けられるコイル押さえ部材と、前記コイル押さえ部材において前記巻線と対向する第一の面に形成され、径方向内側から径方向外側へ延びる溝部と、前記コイル押さえ部材を軸方向に貫通する第一の貫通孔とを備えたことを特徴とする。
【００１１】
上記課題を解決する第二の発明に係る回転電機は、第一の発明に係る回転電機において、前記第一の貫通孔は、前記溝部と連通して形成されるものであることを特徴とする。
【００１２】
上記課題を解決する第三の発明に係る回転電機は、第一または第二の発明に係る回転電機において、前記コイル押さえ部材は、前記溝部および前記第一の貫通孔と連通する第二の貫通孔を有するものであることを特徴とする。
【００１３】
上記課題を解決する第四の発明に係る回転電機は、第三の発明に係る回転電機において、前記溝部は、前記コイル押さえ部材における前記固定子と対向する第二の面に臨む溝部開口を有するものであり、前記第二の貫通孔は、前記第二の面に臨む貫通孔開口を有するものであり、前記貫通孔開口と前記固定子との距離は、前記溝部開口と前記固定子との距離よりも長いことを特徴とする。
【発明の効果】
【００１４】
第一の発明に係る回転電機によれば、冷却媒体が溝部および第一の貫通孔に流通されるので、コイル押さえ部材および巻線の冷却効率を向上させることができる。また、第一の貫通孔がコイル押さえ部材の軸方向に貫通して形成されているので、周方向において隣接する巻線（磁極）間を軸方向に流れる冷却媒体の抵抗を低減することができる。つまり、回転電機における冷却媒体の流通効率および冷却効率を向上させることができる。
【００１５】
第二の発明に係る回転電機によれば、第一の貫通孔が溝部と連通することにより、溝部を流れる冷却媒体の一部が第一の貫通孔に流入する、または、第一の貫通孔を流れる冷却媒体の一部が溝部に流入することとなるので、溝部および第一の貫通孔を流れる冷却媒体の流通効率を向上させることができる。
【００１６】
第三の発明に係る回転電機によれば、第二の貫通孔が溝部および第一の貫通孔と連通することにより、溝部を流れる冷却媒体の一部が第一の貫通孔および第二の貫通孔に流入する、第一の貫通孔を流れる冷却媒体の一部が溝部および第二の貫通孔に流入する、または、第二の貫通孔を流れる冷却媒体の一部が溝部および第一の貫通孔に流入することとなるので、溝部、第一の貫通孔および第二の貫通孔を流れる冷却媒体の流通効率を向上させることができる。
【００１７】
第四の発明に係る回転電機によれば、第二の貫通孔がコイル押さえ部材と固定子との隙間（ギャップ）の大きい箇所に開口することとなるので、当該第二の貫通孔を流れる冷却媒体の流通抵抗を低減することができる。つまり、回転電機における冷却媒体の流通効率および冷却効率を向上させることができる。
【図面の簡単な説明】
【００１８】
【図１】実施例１に係る回転電機の構造を示す説明図である。
【図２】実施例１に係る回転電機の構造を示す説明図（図１におけるII矢視図）である。
【図３】実施例２に係る回転電機の構造を示す説明図である。
【図４】実施例２に係る回転電機の構造を示す説明図（図１におけるIV矢視図）である。
【図５】実施例３に係る回転電機の構造を示す説明図である。
【図６】実施例３に係る回転電機の構造を示す説明図（図１におけるVI矢視図）である。
【発明を実施するための形態】
【００１９】
以下に、本発明に係る回転電機の実施例について、添付図面を参照して詳細に説明する。もちろん、本発明は以下の実施例に限定されず、本発明の趣旨を逸脱しない範囲で各種変更が可能であることは言うまでもない。
【００２０】
［実施例１］
本発明の実施例１に係る回転電機の構造について、図１および図２を参照して説明する。
【００２１】
図１に示すように、回転電機１には、図示しないフレームに固定される略円筒形状の固定子１１と、この固定子１１の径方向内側に配置されて当該固定子１１に対して回転可能な回転子１２とが設けられている。回転電機１においては、電気の磁気作用によって固定子１１と回転子１２との間に生じる反発力および吸引力を利用することにより、回転子１２が固定子１１に対して回転される。
【００２２】
回転子１２には、図示しないフレームに回転可能に支持される回転子鉄心２１と、この回転子鉄心２１に巻装される回転子巻線２２とが設けられている。回転子鉄心２１は、回転中心部を構成する軸部２１ａと、この軸部２１ａから径方向外側に向けて突出する複数（本実施例においては、四つ）の突部２１ｂとから概略構成されており、複数の突部２１ｂは、周方向に沿って等角度（本実施例においては、９０°）間隔で配置されている。
【００２３】
回転子巻線２２は、突部２１ｂの外周部に巻き付けられており、突部２１ｂの先端部（径方向外側端部）には、回転子巻線２２の逸脱を防止する頭部２３が取り付けられている。頭部２３は、その外周部が突部２１ｂよりも軸方向および周方向に張り出した形状から成り、回転子巻線２２を径方向外側から覆っている。
【００２４】
回転電機１においては、突部２１ｂと頭部２３と回転子巻線２２とによって磁極１２ａが構成されており、この磁極１２ａは、周方向に沿って等角度（本実施例においては、９０°）間隔で複数（本実施例においては、四つ）配置されている。つまり、回転子１２は、周方向に複数の磁極１２ａを有する突極形回転子であり、回転電機１は、当該回転子１２を備えた突極形回転電機である。
【００２５】
図１に示すように、回転子１２には、当該回転子１２の回転動作時の遠心力によって回転子巻線２２の変形を防止するためのコイル押さえ部材２４およびコイル支え部材２５が設けられている。コイル押さえ部材２４は、回転子１２の回転軸方向（軸方向）と直交する横断面が台形（略三角形）を成しており、周方向に隣接する磁極１２ａ（回転子巻線２２）間において、その幅方向外側端面（第一の面）２４ａが周方向に隣接する回転子巻線２２の周方向外側端面２２ａと対向するように配置されている。コイル支え部材２５は、軸方向と直交する横断面が台形を成しており、周方向に隣接する磁極１２ａ（回転子巻線２２）間において、その幅方向外側端面２５ａが周方向に隣接する回転子巻線２２の径方向内側端面２２ｂと対向するように配置されている。
【００２６】
また、コイル押さえ部材２４とコイル支え部材２５とは、回転子巻線２２の角部を挟持するように、ボルト３１で連結されている。なお、コイル押さえ部材２４およびコイル支え部材２５は、それぞれ絶縁板４１，４２を介して回転子巻線２２と当接している。
【００２７】
図１および図２に示すように、コイル押さえ部材２４には、ボルト３１を挿通可能なボルト孔５１が当該コイル押さえ部材２４の幅方向（図２においては、上下方向）中央部に位置すると共に軸方向（図２においては、左右方向）に並んで複数（本実施例においては、二つ）設けられている。ボルト３１がボルト孔５１に挿入され、当該ボルト３１の先端がコイル支え部材２５に設けられたタップ穴６１に螺合されることにより、コイル押さえ部材２４とコイル支え部材２５とが連結されている。
【００２８】
また、コイル押さえ部材２４の幅方向外側端面２４ａには、径方向内側から径方向外側へ延びる溝部５２が形成されている。溝部５２は、各幅方向外側端面２４ａにおいて軸方向に並んで複数（本実施例においては、二つずつ）設けられており、冷却空気（冷却媒体）を軸方向と直交する方向であって回転子巻線２２における鋼板積層方向（回転子巻線２２を構成する鋼板が積層される方向）に流通可能な流路として機能する。回転電機１においては、冷却空気が溝部５２を流れることにより、コイル押さえ部材２４および回転子巻線２２が冷却される。
【００２９】
また、コイル押さえ部材２４には、当該コイル押さえ部材２４を軸方向に貫通する貫通孔（第一の貫通孔）５３が形成されている。貫通孔５３は、当該コイル押さえ部材２４の幅方向に並んで複数（本実施例においては、二つ）設けられており、冷却空気（冷却媒体）を軸方向に流通可能な流路として機能する。回転電機１においては、冷却空気が貫通孔５３を流れることにより、コイル押さえ部材２４が冷却される。なお、貫通孔５３は、コイル押さえ部材２４における幅方向外側端面２４ａから離間した位置であって、ボルト孔５１と溝部５２との間に形成されている。
【００３０】
本発明の実施例１に係る回転電機の動作について、図１および図２を参照して説明する。
【００３１】
回転電機１が動作され、回転子１２が固定子１１に対して回転されると、この回転子１２の回転動作に伴って図示しないファンが回転される（図１参照）。そして、図示しない冷却媒体供給装置によって供給される冷却空気（冷却媒体）は、図示しないファンの回転動作により、周方向において隣接した磁極１２ａ（回転子巻線２２）間の空間（磁極間空間）Ｓに供給され、この磁極間空間Ｓ内を軸方向に流れる（図２参照）。
【００３２】
磁極間空間Ｓ内に供給された冷却空気は、軸方向一方側（図２においては、左方側）からコイル押さえ部材２４に向けて流れ、当該コイル押さえ部材２４に達すると、コイル押さえ部材２４の径方向外側の空間（径方向外側空間）Ｓ1および径方向内側の空間（径方向内側空間）Ｓ2（図１参照）とコイル押さえ部材２４に設けられた貫通孔５３とを通って当該コイル押さえ部材２４の軸方向他方側（図２においては、右方側）へ向けて流れる。
【００３３】
また、磁極間空間Ｓ内に供給された冷却空気であってコイル押さえ部材２４の径方向内側の空間Ｓ2（または、径方向外側の空間Ｓ1）に流入した冷却空気は、コイル押さえ部材２４に設けられた溝部５２を通って当該コイル押さえ部材２４の径方向外側の空間Ｓ1（または、径方向内側の空間Ｓ2）へ向けて流れる（図１参照）。
【００３４】
本実施例によれば、コイル押さえ部材２４に貫通孔５３を形成することにより、冷却空気に晒されるコイル押さえ部材２４の表面積が増大されるので、コイル押さえ部材２４の冷却効率を向上させることができる。
【００３５】
また、磁極間空間Ｓにおいて軸方向に流れる冷却空気は、径方向外側空間Ｓ1および径方向内側空間Ｓ2だけでなく、貫通孔５３を通って当該コイル押さえ部材２４の軸方向一方側から軸方向他方側へ流れるので、磁極間空間Ｓを軸方向に流れる冷却空気の抵抗を低減し、回転電機１における冷却空気の流通効率すなわち冷却効率を向上させることができる。
【００３６】
また、コイル押さえ部材２４に溝部５２を形成することにより、当該溝部５２（コイル押さえ部材２４と回転子巻線２２との間）においてコイル押さえ部材２４および回転子巻線２２が冷却空気に晒されるので、コイル押さえ部材２４および回転子巻線２２の冷却効率を向上させることができる。
【００３７】
なお、回転電機１においては、周方向に隣接する磁極１２ａ（回転子巻線２２）間に設けられるコイル押さえ部材２４の数量、形状、位置、ならびに、当該コイル押さえ部材２４に設けられる溝部５２および貫通孔５３の数量、形状、位置を、回転機巻線２２の巻数（周方向外側端面２２ａの面積）や軸方向長さ、ならびに、冷却空気の流速や流量等に応じて、適宜設定することが可能である。
【００３８】
また、回転電機１においては、コイル押さえ部材２４を、コイル支え部材２５と連結されるものとせず、例えば、ボルト３１によって回転子鉄心２１の軸部２１ａに直接固定されるものとしても良い。
【００３９】
［実施例２］
本発明の実施例１に係る回転電機の構造について、図３および図４を参照して説明する。
【００４０】
本実施例に係る回転電機は、本発明の実施例１に係る回転電機と同様に四極の突極形回転電機であり、コイル押さえ部材１２４の構成を除いて、本発明の実施例１に係る回転電機と同様な構成を有するものである。よって、本実施例に係る回転電機における実施例１と同様な構成に対する重複説明は適宜省略する。
【００４１】
図３に示すように、回転電機１０１には、突部２１ｂと頭部２３と回転子巻線２２とによって構成される磁極１２ａを備えた回転子１１２が設けられており、この回転子１１２には、周方向において隣接する磁極１２ａ（回転子巻線２２）間に配置されるコイル押さえ部材１２４が設けられている。
【００４２】
図３および図４に示すように、コイル押さえ部材１２４には、ボルト３１を挿通可能なボルト孔１５１が当該コイル押さえ部材１２４の幅方向（図４においては、上下方向）中央部に位置すると共に軸方向（図４においては、左右方向）に並んで複数（本実施例においては、二つ）設けられている。ボルト３１がボルト孔１５１に挿入され、当該ボルト３１の先端がコイル支え部材２５に設けられたタップ穴６１に螺合されることにより、コイル押さえ部材１２４とコイル支え部材２５とが連結されている。
【００４３】
また、コイル押さえ部材１２４の幅方向外側端面（第一の面）１２４ａには、径方向内側から径方向外側へ延びる溝部１５２が形成されている。溝部１５２は、各幅方向外側端面１２４ａにおいて軸方向に並んで複数（本実施例においては、二つずつ）設けられており、冷却空気（冷却媒体）を軸方向と直交する方向であって回転子巻線２２における鋼板積層方向（回転子巻線２２を構成する鋼板が積層される方向）に流通可能な流路として機能する。回転電機１０１においては、冷却空気が溝部１５２を流れることにより、コイル押さえ部材１２４および回転子巻線２２が冷却される。
【００４４】
また、コイル押さえ部材１２４には、当該コイル押さえ部材１２４を軸方向に貫通する貫通孔（第一の貫通孔）１５３が形成されている。貫通孔１５３は、当該コイル押さえ部材１２４の幅方向に並んで複数（本実施例においては、二つ）設けられており、冷却空気（冷却媒体）を軸方向に流通可能な流路として機能する。回転電機１０１においては、冷却空気が貫通孔１５３を流れることにより、コイル押さえ部材１２４が冷却される。
【００４５】
ここで、貫通孔１５３は、コイル押さえ部材１２４における幅方向外側端面１２４ａの近傍に配置され、溝部１５２と交わって形成されている。具体的には、貫通孔１５３は、その中間部において溝部１５２と交差して形成されており、貫通孔１５３と溝部１５２とが連通している。よって、回転電機１０１の動作時には、溝部１５２を流れる冷却媒体の一部が貫通孔１５３に流入する、または、貫通孔１５３を流れる冷却媒体の一部が溝部１５２に流入することとなり、溝部１５２および貫通孔１５３を流れる冷却媒体の流通効率が相乗的に向上される。
【００４６】
本実施例によれば、溝部１５２と貫通孔１５３とを交わって（連通して）設けることにより、前述した本発明の実施例１に係る回転電機による作用効果に加え、磁極間空間Ｓにおける冷却媒体の流通効率を更に向上させ、回転電機１０１全体の冷却効率を更に向上させることができる。
【００４７】
［実施例３］
本発明の実施例３に係る回転電機の構造について、図５および図６を参照して説明する。
【００４８】
本実施例に係る回転電機は、本発明の実施例１に係る回転電機と同様に四極から成る突極形回転電機であり、コイル押さえ部材２２４の構成を除いて、本発明の実施例１に係る回転電機と同様な構成を有するものである。よって、本実施例に係る回転電機における実施例１と同様な構成に対する重複説明は適宜省略する。
【００４９】
図５に示すように、回転電機２０１には、突部２１ｂと頭部２３と回転子巻線２２とによって構成される磁極１２ａを備えた回転子２１２が設けられており、この回転子２１２には、周方向において隣接する磁極１２ａ（回転子巻線２２）間に配置されるコイル押さえ部材２２４が設けられている。
【００５０】
図５および図６に示すように、コイル押さえ部材２２４には、ボルト３１を挿通可能なボルト孔２５１が当該コイル押さえ部材２２４の幅方向（図６においては、上下方向）中央部に位置すると共に軸方向（図６においては、左右方向）に並んで複数（本実施例においては、二つ）設けられている。ボルト３１がボルト孔２５１に挿入され、当該ボルト３１の先端がコイル支え部材２５に設けられたタップ穴６１に螺合されることにより、コイル押さえ部材２２４とコイル支え部材２５とが連結されている。
【００５１】
また、コイル押さえ部材２２４の幅方向外側端面（第一の面）２２４ａには、径方向内側から径方向外側へ延びる溝部２５２が形成されている。溝部２５２は、各幅方向外側端面２２４ａの軸方向中央部に位置して設けられており、冷却空気（冷却媒体）を軸方向と直交する方向であって回転子巻線２２における鋼板積層方向（回転子巻線２２を構成する鋼板が積層される方向）に流通可能な流路として機能する。回転電機２０１においては、冷却空気が溝部２５２を流れることにより、コイル押さえ部材２２４および回転子巻線２２が冷却される。
【００５２】
また、コイル押さえ部材２２４には、当該コイル押さえ部材２２４を軸方向に貫通する第一の貫通孔２５３が形成されている。第一の貫通孔２５３は、当該コイル押さえ部材２２４の幅方向に並んで複数（本実施例においては、二つ）設けられており、冷却空気（冷却媒体）を軸方向に流通可能な流路として機能する。回転電機２０１においては、冷却空気が第一の貫通孔２５３を流れることにより、コイル押さえ部材２２４が冷却される。
【００５３】
また、コイル押さえ部材２２４には、当該コイル押さえ部材２２４を高さ方向（略径方向）に貫通する第二の貫通孔２５４が形成されている。第二の貫通孔２５４は、当該コイル押さえ部材２２４の幅方向に並んで複数（本実施例においては、二つ）設けられており、冷却空気を軸方向と直交する方向であって当該コイル押さえ部材２２４の高さ方向（略径方向）に流通可能な流路として機能する。回転電機２０１においては、冷却空気が第二の貫通孔２５４を流れることにより、コイル押さえ部材２２４が冷却される。
【００５４】
ここで、第二の貫通孔２５４は、溝部２５２および第一の貫通孔２５３と交わって形成されている。具体的には、第二の貫通孔２５４は、その中間部において第一の貫通孔２５３と交差すると共に、その一端が溝部２５２に臨んで開口するように形成されており、溝部２５２と第一の貫通孔２５３と第二の貫通孔２５４とが連通（溝部２５２と第一の貫通孔２５３とが第二の貫通孔２５４を介して連通）している。よって、回転電機２０１の動作時には、溝部２５２を流れる冷却媒体の一部が第一の貫通孔２５３および第二の貫通孔２５４に流入する、第一の貫通孔２５３を流れる冷却媒体の一部が溝部２５２および第二の貫通孔２５４に流入する、または、第二の貫通孔２５４を流れる冷却媒体の一部が溝部２５２および第一の貫通孔２５３に流入することとなり、溝部２５２、第一の貫通孔２５３および第二の貫通孔２５４を流れる冷却媒体の流通効率が相乗的に向上される。
【００５５】
また、コイル押さえ部材２２４における固定子１１と対向する面（径方向外側端面、第二の面）２２４ｂは、平ら（平面）に形成されている。よって、溝部２５２が径方向外側端面２２４ｂ（径方向外側空間Ｓ1）に臨む開口部（溝部開口）２５２ａは、固定子１１の内周面１１ａに近接している（Ｄ252＜Ｄ254）のに対し、第二の貫通孔２５４が径方向外側端面２２４ｂ（径方向外側空間Ｓ1）に臨む開口部（貫通孔開口）２５４ａは、固定子１１の内周面１１ａから離間している（Ｄ254＞Ｄ252）。
【００５６】
つまり、溝部２５２は、当該コイル押さえ部材２２４（径方向外側端面２２４ｂ）と固定子１１（内周面１１ａ）とのギャップ（Ｄ252）が小さい箇所に開口している（開口部２５２ａを有している）のに対し、第二の貫通孔２５４は、当該コイル押さえ部材２２４（径方向外側端面２２４ｂ）と固定子１１（内周面１１ａ）とのギャップ（Ｄ254）が大きい箇所に開口している（開口部２５４ａを有している）。
【００５７】
本実施例によれば、溝部２５２と第一の貫通孔２５３と第二の貫通孔２５４とを交わって（連通して）設けることにより、前述した本発明の実施例１に係る回転電機による作用効果に加え、磁極間空間Ｓにおける冷却媒体の流通効率を更に向上させ、回転電機２０１全体の冷却効率を更に向上させることができる。
【００５８】
また、第二の貫通孔２５４を当該コイル押さえ部材２２４（径方向外側端面２２４ｂ）と固定子１１（内周面１１ａ）とのギャップが大きい箇所に開口して設けることにより、当該第二の貫通孔２５４を流れる冷却空気の流通抵抗が低減されるので、当該第二の貫通孔２５４を流れる冷却空気の流量を増大し、回転電機２０１における冷却空気の流通効率すなわち冷却効率を更に向上させることができる。
【００５９】
もちろん、本発明に係る回転電機は、本実施例のように、第二の貫通孔２５４をその中間部において第一の貫通孔２５３と交差すると共に一端が溝部２５２に臨んで開口するように形成するものに限定されない。本発明に係る回転電機におけるコイル押さえ部材として、例えば、溝部と第一の貫通孔と第二の貫通孔とが同じ箇所で交わって形成されたものであっても良い。
【符号の説明】
【００６０】
１      回転電機
１１    固定子
１１ａ  固定子の内周面
１２    回転子
１２ａ  磁極
２１    回転子鉄心
２１ａ  回転子鉄心の軸部
２１ｂ  回転子鉄心の突部
２２    回転子巻線
２２ａ  固定子巻線の周方向外側端面
２２ｂ  回転子巻線の径方向内側端面
２３    頭部
２４    コイル押さえ部材
２４ａ  コイル押さえ部材の幅方向外側端面（第一の面）
２５    コイル支え部材
２５ａ  コイル支え部材の幅方向外側端面
３１    ボルト
４１    絶縁板
４２    絶縁板
５１    コイル押さえ部材のボルト孔
５２    コイル押さえ部材の溝部
５３    コイル押さえ部材の貫通孔（第一の貫通孔）
６１    コイル支え部材のタップ穴
１０１    回転電機
１１２    回転子
１２４    コイル押さえ部材
１２４ａ  コイル押さえ部材の幅方向外側端面（第一の面）
１５１    コイル押さえ部材のボルト孔
１５２    コイル押さえ部材の溝部
１５３    コイル押さえ部材の貫通孔（第一の貫通孔）
２０１    回転電機
２１２    回転子
２２４    コイル押さえ部材
２２４ａ  コイル押さえ部材の幅方向外側端面（第一の面）
２２４ｂ  コイル押さえ部材の径方向外側端面（第二の面）
２５１    コイル押さえ部材のボルト孔
２５２    コイル押さえ部材の溝部
２５２ａ  溝部の開口部（溝部開口）
２５３    コイル押さえ部材の第一の貫通孔
２５４    コイル押さえ部材の第二の貫通孔
２５４ａ  第二の貫通孔の開口部（貫通孔開口）
【図１】
2018148775.tif 000003
【図２】
2018148775.tif 000004
【図３】
2018148775.tif 000005
【図４】
2018148775.tif 000006
【図５】
2018148775.tif 000007
【図６】
2018148775.tif 000008